(57)【要約】【課題】暗証情報（暗証番号）の設定の有無に関わらず、ＩＤカードの暗証情報又はデフォルト情報を確実に確認可能にする。【解決手段】暗証情報確認装置１では、ＩＤカードに搭載されたＩＣメモリから読み取られた暗証番号設定情報に基づいて暗証番号の設定の有無が判別され、暗証番号が設定されていないと判別された場合、カード保有者の入力部１１の操作によって、デフォルト番号が入力される。そして、入力されたデフォルト番号と、ＩＣメモリに記録されたデフォルト番号を照合することにより、両者が一致するか否かが判定され、両者が一致すると判定された場合に、入力されたデフォルト情報が正当であるとみなされ、ＩＣメモリから、カード保有者の個人情報が読み出される。【選択図】図３
2005316570.tif 000002
【特許請求の範囲】
【請求項１】
カード保有者の個人情報と、当該カード保有者の暗証情報の設定の有無を示す暗証情報設定情報が記録されたＩＣメモリを内蔵したＩＤカードの暗証情報を確認するための暗証情報確認装置であって、
ＩＤカードに暗証情報が設定されていない場合の処理方式を設定する処理方式設定手段と、
前記ＩＤカードのＩＣメモリから暗証情報設定情報を読み取る読取手段と、
前記読取手段により読み取られた暗証情報設定情報から、暗証情報の設定の有無を判別する設定情報判別手段と、
前記設定情報判別手段により暗証情報が設定されていないと判別された場合、前記処理方式設定手段により設定された処理方式により、暗証情報としてのデフォルト情報を用いて暗証情報を確認する処理を行う処理手段と、
を備えることを特徴とする暗証情報確認装置。
【請求項２】
前記設定情報判別手段により暗証情報が設定されていないと判別された場合、暗証情報としてデフォルト情報を入力する入力手段を備え、
前記処理手段は、前記入力手段により入力されたデフォルト情報と、前記ＩＣメモリに記録された個人情報とを照合することにより、当該入力されたデフォルト情報の正当性を判別することを特徴とする請求項１に記載の暗証情報確認装置。
【請求項３】
前記設定情報判別手段により暗証情報が設定されていないと判別された場合、暗証情報としてデフォルト情報を設定するデフォルト情報設定手段を備え、
前記処理手段は、前記デフォルト情報設定手段により設定されたデフォルト情報と、前記ＩＣメモリに記録された個人情報とを照合することにより、当該設定されたデフォルト情報の正当性を判別することを特徴とする請求項１に記載の暗証情報確認装置。
【請求項４】
前記設定情報判別手段により暗証情報が設定されていないと判別された場合、前記ＩＣメモリに記録された個人情報の読込の有無を指定するための読込確認画面を表示部に表示する表示処理手段と、
前記読込確認画面において前記個人情報の読込が指定された場合に、暗証情報としてデフォルト情報を設定するデフォルト情報設定手段と、を備え、
前記処理手段は、前記デフォルト情報設定手段により設定されたデフォルト情報と、前記ＩＣメモリに記録された個人情報とを照合することにより、当該設定されたデフォルト情報の正当性を判別することを特徴とする請求項１に記載の暗証情報確認装置。
【請求項５】
前記処理手段によりデフォルト情報が正当であると判別された場合、前記ＩＣメモリから個人情報を読み込む読込手段を備えることを特徴とする請求項２〜４の何れか一項に記載の暗証情報確認装置。
【請求項６】
カード保有者の個人情報と、当該カード保有者の暗証情報の設定の有無を示す暗証情報設定情報が記録されたＩＣメモリを内蔵したＩＤカードの暗証情報を確認するための暗証情報確認方法であって、
ＩＤカードに暗証情報が設定されていない場合の処理方式を設定する処理方式設定工程と、
前記ＩＤカードのＩＣメモリから暗証情報設定情報を読み取る読取工程と、
前記読取工程において読み取られた暗証情報設定情報から、暗証情報の設定の有無を判別する設定情報判別工程と、
前記設定情報判別工程において暗証情報が設定されていないと判別された場合、前記処理方式設定工程において設定された処理方式により、暗証情報としてのデフォルト情報を用いて暗証情報を確認する処理を行う処理工程と、
を含むことを特徴とする暗証情報確認方法。
【請求項７】
前記設定情報判別工程において暗証情報が設定されていないと判別された場合、暗証情報としてデフォルト情報を入力する入力工程を含み、
前記処理工程では、前記入力工程において入力されたデフォルト情報と、前記ＩＣメモリに記録された個人情報とを照合することにより、当該入力されたデフォルト情報の正当性が判別されることを特徴とする請求項６に記載の暗証情報確認方法。
【請求項８】
前記設定情報判別工程において暗証情報が設定されていないと判別された場合、暗証情報としてデフォルト情報を設定するデフォルト情報設定工程を含み、
前記処理工程では、前記デフォルト情報設定工程において設定されたデフォルト情報と、前記ＩＣメモリに記録された個人情報とを照合することにより、当該設定されたデフォルト情報の正当性が判別されることを特徴とする請求項６に記載の暗証情報確認方法。
【請求項９】
前記設定情報判別工程において暗証情報が設定されていないと判別された場合、前記ＩＣメモリに記録された個人情報の読込の有無を指定するための読込確認画面を表示部に表示する表示処理工程と、
前記読込確認画面において前記個人情報の読込が指定された場合に、暗証情報としてデフォルト情報を設定するデフォルト情報設定工程と、を含み、
前記処理工程では、前記デフォルト情報設定工程において設定されたデフォルト情報と、前記ＩＣメモリに記録された個人情報とを照合することにより、当該設定されたデフォルト情報の正当性が判別されることを特徴とする請求項６に記載の暗証情報確認方法。
【請求項１０】
前記処理工程においてデフォルト情報が正当であると判別された場合、前記ＩＣメモリから個人情報を読み込む読込工程を含むことを特徴とする請求項７〜９の何れか一項に記載の暗証情報確認方法。
【発明の詳細な説明】
【技術分野】
【０００１】
本発明は、社員証や各種免許証等のＩＤカードの暗証情報を確認するための暗証情報確認装置及び暗証情報確認方法に関する。
【背景技術】
【０００２】
近年、社員証や各種免許証等のＩＤカードを作成する際、不正使用を防ぐため、暗証番号を登録する必要がある。一般に、ＩＤカードの申請者は、ＩＤカード作成のための申請書において、暗証番号の設定の有無を指定する。暗証番号を設定する場合には、暗証番号を指定し、暗証番号を設定しない場合には、暗証番号としてデフォルトの番号が設定される。そして、暗証番号等の必要事項が記入された申請書により、ＩＤカードの発行が受け付けられ、申請者のＩＤ番号、氏名、住所、年齢等の個人情報とともに、暗証番号又はデフォルト番号がホストコンピュータに登録される。そして、ＩＤカード交付機関に設置されたＩＤカード発行装置では、ホストコンピュータに登録された個人情報、暗証番号又はデフォルト番号に基づいてＩＤカードが発行される。
【０００３】
最近では、ＩＣメモリを内蔵したＩＤカードが普及している。このようなＩＣメモリが内蔵されたＩＤカードを作成する場合、ＩＤカード発行装置により、ＩＤ番号、氏名等が、紙やプラスチック製カードの表面に直接印字されるとともに、カードに内蔵されたＩＣメモリに、個人情報、暗証番号又はデフォルト番号等が記録される。ＩＤカードのＩＣメモリに記録されたデータを読み出す場合、入力装置を用いてカード保有者によって入力された暗証番号（又はデフォルト番号）と、ＩＣメモリに記憶された暗証番号（又はデフォルト番号）を比較し、両者が一致した場合にのみ、ＩＣメモリに記録されたデータの読込が可能となる（例えば、特許文献１参照。）。
【特許文献１】特許第２８５６３９３号公報
【発明の開示】
【発明が解決しようとする課題】
【０００４】
しかしながら、利用頻度の少ないＩＤカードの場合、カード保有者が、暗証番号の設定の有無を忘れている可能性があった。また、デフォルト番号は、カード保有者自身が指定した番号ではないため、カード保有者がデフォルト番号を忘れている可能性があった。カード保有者が暗証番号の設定の有無を忘れている場合、ＩＣメモリに記憶された暗証暗号又はデフォルト番号と、カード保有者により入力された番号が一致しないことが多い。従って、何度も暗証番号又はデフォルト番号の入力操作を繰り返すと、入力回数が予め設定された許容回数を超え、以降、その暗証番号が使用できなくなることがあった。
【０００５】
本発明の課題は、暗証情報（暗証番号）の設定の有無に関わらず、ＩＤカードの暗証情報又はデフォルト情報を確実に確認可能にすることである。
【課題を解決するための手段】
【０００６】
請求項１に記載の発明は、カード保有者の個人情報と、当該カード保有者の暗証情報の設定の有無を示す暗証情報設定情報が記録されたＩＣメモリを内蔵したＩＤカードの暗証情報を確認するための暗証情報確認装置であって、ＩＤカードに暗証情報が設定されていない場合の処理方式を設定する処理方式設定手段と、前記ＩＤカードのＩＣメモリから暗証情報設定情報を読み取る読取手段と、前記読取手段により読み取られた暗証情報設定情報から、暗証情報の設定の有無を判別する設定情報判別手段と、前記設定情報判別手段により暗証情報が設定されていないと判別された場合、前記処理方式設定手段により設定された処理方式により、暗証情報としてのデフォルト情報を用いて暗証情報を確認する処理を行う処理手段と、を備えることを特徴としている。
【０００７】
請求項２に記載の発明は、請求項１に記載の暗証情報確認装置において、前記設定情報判別手段により暗証情報が設定されていないと判別された場合、暗証情報としてデフォルト情報を入力する入力手段を備え、前記処理手段は、前記入力手段により入力されたデフォルト情報と、前記ＩＣメモリに記録された個人情報とを照合することにより、当該入力されたデフォルト情報の正当性を判別することを特徴としている。
【０００８】
請求項３に記載の発明は、請求項１に記載の暗証情報確認装置において、前記設定情報判別手段により暗証情報が設定されていないと判別された場合、暗証情報としてデフォルト情報を設定するデフォルト情報設定手段を備え、前記処理手段は、前記デフォルト情報設定手段により設定されたデフォルト情報と、前記ＩＣメモリに記録された個人情報とを照合することにより、当該設定されたデフォルト情報の正当性を判別することを特徴としている。
【０００９】
請求項４に記載の発明は、請求項１に記載の暗証情報確認装置において、前記設定情報判別手段により暗証情報が設定されていないと判別された場合、前記ＩＣメモリに記録された個人情報の読込の有無を指定するための読込確認画面を表示部に表示する表示処理手段と、前記読込確認画面において前記個人情報の読込が指定された場合に、暗証情報としてデフォルト情報を設定するデフォルト情報設定手段と、を備え、前記処理手段は、前記デフォルト情報設定手段により設定されたデフォルト情報と、前記ＩＣメモリに記録された個人情報とを照合することにより、当該設定されたデフォルト情報の正当性を判別することを特徴としている。
【００１０】
請求項５に記載の発明は、請求項２〜４の何れか一項に記載の暗証情報確認装置において、前記処理手段によりデフォルト情報が正当であると判別された場合、前記ＩＣメモリから個人情報を読み込む読込手段を備えることを特徴としている。
【００１１】
請求項６に記載の発明は、カード保有者の個人情報と、当該カード保有者の暗証情報の設定の有無を示す暗証情報設定情報が記録されたＩＣメモリを内蔵したＩＤカードの暗証情報を確認するための暗証情報確認方法であって、ＩＤカードに暗証情報が設定されていない場合の処理方式を設定する処理方式設定工程と、前記ＩＤカードのＩＣメモリから暗証情報設定情報を読み取る読取工程と、前記読取工程において読み取られた暗証情報設定情報から、暗証情報の設定の有無を判別する設定情報判別工程と、前記設定情報判別工程において暗証情報が設定されていないと判別された場合、前記処理方式設定工程において設定された処理方式により、暗証情報としてのデフォルト情報を用いて暗証情報を確認する処理を行う処理工程と、を含むことを特徴としている。
【００１２】
請求項７に記載の発明は、請求項６に記載の暗証情報確認方法において、前記設定情報判別工程において暗証情報が設定されていないと判別された場合、暗証情報としてデフォルト情報を入力する入力工程を含み、前記処理工程では、前記入力工程において入力されたデフォルト情報と、前記ＩＣメモリに記録された個人情報とを照合することにより、当該入力されたデフォルト情報の正当性が判別されることを特徴としている。
【００１３】
請求項８に記載の発明は、請求項６に記載の暗証情報確認方法において、前記設定情報判別工程において暗証情報が設定されていないと判別された場合、暗証情報としてデフォルト情報を設定するデフォルト情報設定工程を含み、前記処理工程では、前記デフォルト情報設定工程において設定されたデフォルト情報と、前記ＩＣメモリに記録された個人情報とを照合することにより、当該設定されたデフォルト情報の正当性が判別されることを特徴としている。
【００１４】
請求項９に記載の発明は、請求項６に記載の暗証情報確認方法において、前記設定情報判別工程において暗証情報が設定されていないと判別された場合、前記ＩＣメモリに記録された個人情報の読込の有無を指定するための読込確認画面を表示部に表示する表示処理工程と、前記読込確認画面において前記個人情報の読込が指定された場合に、暗証情報としてデフォルト情報を設定するデフォルト情報設定工程と、を含み、前記処理工程では、前記デフォルト情報設定工程において設定されたデフォルト情報と、前記ＩＣメモリに記録された個人情報とを照合することにより、当該設定されたデフォルト情報の正当性が判別されることを特徴としている。
【００１５】
請求項１０に記載の発明は、請求項７〜９の何れか一項に記載の暗証情報確認方法において、前記処理工程においてデフォルト情報が正当であると判別された場合、前記ＩＣメモリから個人情報を読み込む読込工程を含むことを特徴としている。
【発明の効果】
【００１６】
本発明によれば、ＩＤカードのＩＣメモリに記録された暗証情報設定情報から暗証情報の設定の有無を判別し、暗証情報が設定されていない場合は、予め設定された処理方式に従ってデフォルト情報の確認処理を行うようにしたことにより、カード保有者が暗証情報の設定の有無を忘れてしまっても、むやみに暗証情報を入力することなく、暗証情報又はデフォルト情報を確実に確認することができる。また、ＩＤカードの暗証情報が設定されていない場合の処理方式を設定しておくことにより、使用目的に合わせた確認処理を行うことができる。
【発明を実施するための最良の形態】
【００１７】
以下、図面を参照して、本発明の実施形態について詳細に説明する。
まず、本実施形態における構成について説明する。
【００１８】
図１は、本実施形態のＩＤカード発行システム１００の全体構成を示す図である。ＩＤカード発行システム１００は、図１に示すように、暗証情報確認装置１、ＩＤカード発行装置２、ホストコンピュータ３、登録端末４、撮影装置５により構成され、各装置は、通信ネットワークＮを介して相互に接続されている。ここで、通信ネットワークＮは、専用線を利用して構築された通信ネットワークであり、ＬＡＮ（Local Area Network）、ＷＡＮ（Wide Area Network）等の回線形態を適用することが可能である。
【００１９】
なお、１台のホストコンピュータ３に通信ネットワークＮを介して接続される暗証情報確認装置１の台数、ＩＤカード発行装置２の台数、登録端末４の台数、撮影装置５の台数は、特に限定されない。
【００２０】
また、本実施形態において対象となるＩＤカードは、ＩＣメモリを内蔵し、このＩＣメモリに、ＩＤ番号、氏名、住所、所属、有効期限、年齢、性別、顔画像、暗証番号（又はデフォルト番号）等の種々の個人情報とともに、暗証番号の設定の有無を示すフラグ（以下、暗証番号設定情報という。）が電子データとして記録されている。また、ＩＤカードの表面には、個人情報（又はその一部）と顔画像等が印字されているものとする。また、ＩＣメモリに記録された情報は、書き換え不可能であるものとする。
【００２１】
図１において、暗証情報確認装置１は、ＩＤカードの暗証番号を確認するための装置であり、ＩＤカードのＩＣメモリから読み取られた暗証番号設定情報から、当該ＩＤカードに暗証番号の設定の有無を判別し、判別結果に応じて暗証番号又はデフォルト番号の確認処理を行う。暗証情報確認装置１を構成する各部の詳細については、後に図２を参照して説明する。
【００２２】
ＩＤカード発行装置２は、ＩＤカードの表面に個人情報（又はその一部）を印字するための印字部（図示略）と、ＩＤカードのＩＣメモリに、カード保有者の個人情報を記録するためのライタ（図示略）を備えており、ホストコンピュータ２から取得されたカード保有者の個人情報に基づいてＩＤカードを発行する。
【００２３】
ホストコンピュータ３は、ＩＤカード発行システム１００を統括的に制御するコンピュータであり、ＤＢ（Data Base）３１を備えている。このＤＢ３１には、ＩＤカードの登録申請人（カード保有者）の個人情報（ＩＤ番号、氏名、住所、所属、有効期限、年齢、性別、暗証番号（又はデフォルト番号）、顔画像等）が格納されている。
【００２４】
登録端末４は、ＰＣ（Personal Computer）等により構成され、ＩＤカード交付機関の受付係員がキーボードやマウス等の入力デバイスを用いて入力したＩＤカードの登録申請人の個人情報（氏名、住所、所属、有効期限、年齢、性別、暗証番号等）を、ホストコンピュータ３に送信することによって、ＩＤカードの会員登録を要請する。撮影装置５は、ＩＤカードの登録申請人の顔画像を撮影し、顔画像の電子データをホストコンピュータ３に送信する。
【００２５】
次に、本発明が適用された実施形態の暗証情報確認装置１の構成について説明する。図２に、暗証情報確認装置１の主要部構成を示す。暗証情報確認装置１は、図２に示すように、ＣＰＵ（Central Processing Unit）１０、入力部１１、表示部１２、通信部１３、ＲＯＭ（Read Only Memory）１４、ＲＡＭ（Random Access Memory）１５、ＩＣ Ｒ／Ｗ１６、ＯＣＲ（Optical Character Reader）１７により構成されている。
【００２６】
ＣＰＵ１０は、ＲＯＭ１４に記憶された各種制御プログラムを読み出してＲＡＭ１５内に展開し、それらの制御プログラムに従って暗証情報確認装置１の各部を制御する。以下、ＣＰＵ１０の制御動作について説明する。
【００２７】
ＣＰＵ１０は、ＩＤカードのＩＣメモリから読み取られた暗証番号設定情報から、当該ＩＤカードに暗証番号の設定の有無を判別し、判別結果に応じて暗証番号又はデフォルト番号を確認する暗証番号確認処理を実行する（図３参照）。
【００２８】
また、ＣＰＵ１０は、ＩＤカードに暗証番号が設定されていない場合の処理方式を予め設定し、暗証番号確認処理において、ＩＤカードに暗証番号が設定されていないと判別した場合、予め設定された処理方式に従って、暗証番号又はデフォルト番号を確認し、ＩＣメモリに記録された個人情報を読み出す処理を行う。ここで、予め設定された処理方式とは、カード保有者にデフォルト番号の入力を促し、入力されたデフォルト番号とＩＣメモリに記録されたデフォルト番号を照合し、両者が一致する場合に個人情報を読み出す方式と、自動的に個人情報を読み出す方式と、カード保有者により個人情報の読取指示があった場合に個人情報を読み出す方式がある。
【００２９】
入力部１１は、文字入力キー、テンキー、カーソルキー及び各種機能キーを備えたキー入力装置や、マウス等のポインティングデバイス等を備え、キー入力装置やポインティングデバイスの操作による操作信号をＣＰＵ１０に出力する。
【００３０】
表示部１２は、ＬＣＤ（Liquid Crystal Display）、ＣＲＴ（Cathode Ray Tube）等の表示ディスプレイを備え、ＣＰＵ１０から入力される表示信号に従って所要の表示処理を行う。
【００３１】
通信部１３は、ＬＡＮアダプタ等によって構成され、通信ネットワークＮを介して、ＩＤカード発行装置２、ホストコンピュータ３等の外部装置と通信を行うための制御を行う。
【００３２】
ＲＯＭ１４は、ＣＰＵ１０で実行される各種制御プログラム、これらのプログラムで使用されるデータを格納している。
【００３３】
ＲＡＭ１５は、ＣＰＵ１０により実行される各種制御プログラムや各種アプリケーションプログラムをプログラム格納エリアに展開する。また、ＲＡＭ１５は、入力データ及び上記の制御プログラムの実行時に生じる処理結果等のデータをワークエリアに一時的に格納する。
【００３４】
ＩＣ Ｒ／Ｗ１６は、ＩＣメモリへのデータの書き込み、ＩＣメモリからのデータの読み取りを行う装置である。ＯＣＲ１７は、ＩＤカードの表面に印字された文字を認識し、認識された文字のテキストデータをＣＰＵ１０に出力する。
【００３５】
次に、本実施形態における動作について説明する。
図３に示すフローチャートは、暗証情報確認装置１を構成するコンピュータに各機能を実現させるためのプログラムを説明するためのものである。本実施形態では、このプログラムが、ＣＰＵ１０が読み取り可能なプログラムコードの形態で記録媒体に格納されている例で説明するが、全ての機能を記録媒体に格納する必要はなく、必要に応じて、その一部又は全部を、通信ネットワークＮを介して外部装置から受信して実現するようにしてもよい。
【００３６】
図３のフローチャートを参照して、暗証情報確認装置１において実行される暗証番号確認処理について説明する。
【００３７】
まず、ＩＣ Ｒ／Ｗ１６により、ＩＤカードのＩＣメモリが読み込まれ（ステップＳ１）、暗証番号設定情報が読み取られる（ステップＳ２）。次いで、ステップＳ２で読み取られた暗証番号設定情報から、カード保有者の暗証番号が設定されているか否かが判定される（ステップＳ３）。
【００３８】
ステップＳ３において、カード保有者の暗証番号が設定されていると判定された場合（ステップＳ３；ＹＥＳ）、表示部１２に、暗証番号入力画面が表示され、カード保有者による入力部１１の操作によって暗証番号が入力される（ステップＳ４）。暗証番号が入力されると、その入力された暗証番号と、ＩＣメモリに記録された暗証番号が一致するか否かが判定される（ステップＳ５）。
【００３９】
ステップＳ５において、ＩＣメモリに記録された暗証番号とステップＳ４において入力された暗証番号が一致しないと判定された場合（ステップＳ５；ＮＯ）、表示部１２に、暗証番号が一致しなかった旨を通知するエラーメッセージが表示され（ステップＳ１２）、本暗証番号確認処理が終了する。
【００４０】
ステップＳ５において、ＩＣメモリに記録された暗証番号とステップＳ４において入力された暗証番号が一致すると判定された場合（ステップＳ５；ＹＥＳ）、入力された暗証番号は正当であると判断され、当該ＩＣメモリから、個人情報を示すファイルデータが読み込まれ（ステップＳ６）、本暗証番号確認処理が終了する。
【００４１】
ステップＳ３において、カード保有者の暗証番号が設定されていないと判定された場合（ステップＳ３；ＮＯ）、暗証番号が設定されていない場合の処理方式が以下のように判別される（ステップＳ７及びＳ８）。まず、デフォルト番号の入力が設定されているか否かが判定される（ステップＳ７）。
【００４２】
ステップＳ７において、デフォルト番号の入力が設定されていると判定された場合（ステップＳ７；ＹＥＳ）、表示部１２に、暗証番号入力画面が表示され、カード保有者による入力部１１の操作によってデフォルト番号が入力される（ステップＳ４）。デフォルト番号が入力されると、その入力されたデフォルト番号と、ＩＣメモリに記録されたデフォルト番号が一致するか否かが判定され（ステップＳ５）、両者が一致する場合（ステップＳ５；ＹＥＳ）、入力されたデフォルト番号が正当であると判断され、当該ＩＣメモリからファイルデータが読みこまれ（ステップＳ６）、本暗証番号確認処理が終了する。両者が一致しない場合は（ステップＳ５；ＮＯ）、表示部１２にエラーメッセージが表示され（ステップＳ１２）、本暗証番号確認処理が終了する。
【００４３】
ステップＳ７において、デフォルト番号の入力が設定されていないと判定された場合（ステップＳ７；ＮＯ）、ＩＣメモリに記録されたファイルデータの自動読込が設定されているか否かが判定される（ステップＳ８）。
【００４４】
ステップＳ８において、ファイルデータの自動読込が設定されていると判定された場合（ステップＳ８；ＹＥＳ）、暗証番号として予め決定されたデフォルト番号が設定される（ステップＳ１１）。次いで、ステップＳ１１で設定されたデフォルト番号と、ＩＣメモリに記録されたデフォルト番号が一致するか否かが判定され（ステップＳ５）、両者が一致する場合（ステップＳ５；ＹＥＳ）、設定されたデフォルト番号が正当であると判断され、当該ＩＣメモリからファイルデータが読みこまれ（ステップＳ６）、本暗証番号確認処理が終了する。
【００４５】
ステップＳ８において、ファイルデータの自動読込が設定されていないと判定された場合（ステップＳ８；ＮＯ）、表示部１２に、ＩＣメモリに記録されたファイルデータの読込の有無を指定するための読込確認画面が表示される（ステップＳ９）。この読込確認画面には、ファイルデータの読込の有無を指示するためのボタンが表示されている。
【００４６】
読込確認画面において、入力部１１の操作によりファイルデータの読込が指示された場合（ステップＳ１０；ＹＥＳ）、暗証番号として予め決定されたデフォルト番号が設定される（ステップＳ１１）。次いで、ステップＳ１１で設定されたデフォルト番号と、ＩＣメモリに記録されたデフォルト番号が一致するか否かが判定され（ステップＳ５）、両者が一致する場合（ステップＳ５；ＹＥＳ）、設定されたデフォルト番号が正当であると判断され、当該ＩＣメモリからファイルデータが読み込まれ（ステップＳ６）、本暗証番号確認処理が終了する。
【００４７】
なお、図３のフローチャートでは、暗証番号又はデフォルト番号の正当であると判断された場合に、ＩＣメモリに記録されたファイルデータを読み込むようにしたが、ホストコンピュータ３から、該当する個人情報に対応するファイルデータを取得するようにしてもよい。
【００４８】
以上のように、本実施形態の暗証情報確認装置１によれば、ＩＤカードのＩＣメモリに記録された暗証番号設定情報から暗証番号の設定の有無を判別し、暗証番号が設定されていない場合は、予め設定された処理方式（デフォルト番号の入力、個人情報の自動読込、カード保有者の指示による個人情報の読込）に従ってデフォルト番号の確認処理を行うようにしたことにより、カード保有者が暗証番号の設定の有無を忘れてしまっても、むやみに暗証番号を入力することなく、暗証番号又はデフォルト番号を確実に確認することができる。また、ＩＤカードの暗証番号が設定されていない場合の処理方式を設定しておくことにより、使用目的（セキュリティ）に合わせた確認処理を行うことができる。
【００４９】
なお、本実施形態における記述内容は、本発明の趣旨を逸脱しない範囲で適宜変更可能である。
【図面の簡単な説明】
【００５０】
【図１】本発明の実施形態のＩＤカード発行システムの構成を示す図。
【図２】本発明が適用された実施形態の暗証情報確認装置の主要部構成を示す図。
【図３】本実施形態の暗証情報確認装置において実行される暗証番号確認処理を示すフローチャート。
【符号の説明】
【００５１】
１  暗証情報確認装置
１０  ＣＰＵ
１１  入力部
１２  表示部
１３  通信部
１４  ＲＯＭ
１５  ＲＡＭ
１６  ＩＣ Ｒ／Ｗ
１７  ＯＣＲ
２  ＩＤカード発行装置
３  ホストコンピュータ
３１  ＤＢ
４  登録端末
５  撮影装置
１００  ＩＤカード発行システム
【図１】
2005316570.tif 000003
【図２】
2005316570.tif 000004
【図３】
2005316570.tif 000005